(57)【要約】【課題】確実かつ効率的な水抜き工を提供する。【解決手段】トンネルの切羽前方地山１２に長尺の水抜き孔２０を設置して切羽前方地山１２に帯水した湧水Ｗを減ずる水抜き工である。水抜き工は、切羽前方地山１２内に止水材６０を注入して切羽前方地山１２内の水脈Ｖを閉塞するとともに水流の方向を変えることにより、切羽前方地山１２内に帯水した湧水Ｗを水抜き孔２０に導く。水抜き工は、切羽前方地山１２内に帯水した湧水Ｗを確実かつ効率的に抜くことができる。【選択図】図５
2019138092.tif 000002
【特許請求の範囲】
【請求項１】
トンネルの切羽前方地山に長尺の水抜き孔を設置して前記切羽前方地山に帯水した湧水を減ずる水抜き工であって、
前記切羽前方地山内に止水材を注入して前記切羽前方地山内の水脈を閉塞するとともに水流の方向を変えることにより、前記切羽前方地山内に帯水した前記湧水を前記水抜き孔に導くことを特徴とする水抜き工。
【請求項２】
前記切羽前方地山に注入する前記止水材は、前記湧水との接触によって発泡硬化するウレタン系止水材であることを特徴とする請求項１に記載の水抜き工。
【請求項３】
前記止水材を注入するための資材は、前記トンネルの掘削時に切削して撤去可能な構成とされていることを特徴とする請求項１又は２に記載の水抜き工。
【発明の詳細な説明】
【技術分野】
【０００１】
本発明は、水抜き工に関する。
【背景技術】
【０００２】
山岳トンネルの掘削に重大な支障を与える要素の一つに、トンネルの湧水が挙げられる。高圧湧水あるいは多量の湧水が発生した場合、切羽の崩壊やトンネルの水没を引き起こし、大幅な工費の増大と工期の遅延をもたらす虞がある。
【０００３】
湧水対策のための工法は、水抜き工と止水工に大別されるが、山岳トンネルでは基本的に水抜き工が採用されている。水抜き工はトンネル切羽から前方地山に向かって長尺の水抜き孔を削孔して、前方の地山内に帯水している湧水を抜く工法である。水抜き孔については、湧水の多い地山は破砕質および多亀裂な地山であることが多いため、孔壁保持のために有孔鋼管が設置される。水抜き孔をトンネルの切羽面（掘削断面）内から削孔した場合、この有孔鋼管がトンネルを掘削する地山に残置されるため、トンネル掘削の支障となる。
【先行技術文献】
【特許文献】
【０００４】
【特許文献１】特開２０１１−８０２４４号公報
【発明の概要】
【発明が解決しようとする課題】
【０００５】
そこで、上記のような問題を回避するため、有孔鋼管を掘削時の支障にならないようトンネルの切羽面外に向けて打設される場合がある。しかし、この場合は、水抜き孔が長くなるほど掘削するトンネルの断面からの離隔が大きくなり、切羽前方地山内に帯水する湧水を効率的に抜くことが困難となる。
【０００６】
本発明は、上記従来の実情に鑑みてなされたものであって、確実かつ効率的な水抜き工を提供するものである。
【課題を解決するための手段】
【０００７】
上記問題を解決するために、請求項１に記載の発明は、
トンネルの切羽前方地山に長尺の水抜き孔を設置して前記切羽前方地山に帯水した湧水を減ずる水抜き工であって、
前記切羽前方地山内に止水材を注入して前記切羽前方地山内の水脈を閉塞するとともに水流の方向を変えることにより、前記切羽前方地山内に帯水した前記湧水を前記水抜き孔に導く水抜き工である。
【０００８】
請求項２に記載の発明は、
前記切羽前方地山に注入する前記止水材は、前記湧水との接触によって発泡硬化するウレタン系止水材である請求項１に記載の水抜き工である。
【０００９】
請求項３に記載の発明は、
前記止水材を注入するための資材は、前記トンネルの掘削時に切削して撤去可能な構成とされている請求項１又は２に記載の水抜き工である。
【発明の効果】
【００１０】
本発明の水抜き工では、トンネルの切羽前方地山に長尺の水抜き孔を設置して切羽前方地山に帯水した湧水を減ずる。この際、切羽前方地山内に止水材を注入して切羽前方地山内の水脈を閉塞するとともに水流の方向を変えることにより、切羽前方地山内に帯水した湧水を水抜き孔に導く。よって、切羽前方地山内に帯水した湧水を確実かつ効率的に抜くことができる。
【００１１】
請求項２に記載の水抜き工によれば、湧水との接触によって発泡硬化するウレタン系止水材を用いているから、水脈を確実に閉塞でき、水流の方向を変えやすい。
【００１２】
請求項３に記載の水抜き工によれば、トンネルの掘削時に、止水材を注入するための資材を切削して撤去することで、円滑に山岳トンネルの掘削が行える。
【図面の簡単な説明】
【００１３】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】（Ａ）は、トンネルの切羽前方地山に水抜き孔を形成する工程を説明する平面視の説明図である。（Ｂ）は、（Ａ）の構成を側面視した様子を示す側面図である。
【図２】（Ａ）は、トンネルの切羽前方地山に注入孔を形成する工程を説明する平面視の説明図である。（Ｂ）は、（Ａ）の構成を側面視した様子を示す側面図である。
【図３】（Ａ）は、注入ボルトを示す正面図である。（Ｂ）は、パッカーが膨張した状態を説明する説明図である。
【図４】（Ａ）〜（Ｄ）は、注入ボルトによって止水材を注入する際に順次行われる各工程を説明する説明図である。
【図５】（Ａ）は、止水材によって止水された止水領域を説明する平面視の説明図である。（Ｂ）は、（Ａ）の構成を側面視した様子を示す側面図である。
【図６】（Ａ）は、図５に続く工程であり、再度水抜き孔を形成する工程を説明する平面視した説明図である。（Ｂ）は、（Ａ）に続く工程であり、再度止水材によって止水された止水領域を説明する平面視した説明図である。
【発明を実施するための形態】
【００１４】
本実施形態に係る水抜き工は、例えば、以下の（１）〜（５）の工程を順番に行うことが好ましい。
（１）トンネルの切羽前方地山において、掘削断面外に向けて水抜き孔を形成する工程。
（２）トンネルの切羽における水抜き孔に近い位置を削孔して注入孔を形成する工程。
（３）注入孔から湧水が出ることを確認する工程。
（４）注入孔を形成する前に水抜き孔から出ていた湧水の流出量が低減することを確認する工程。
（５）注入孔に挿入した注入ボルトを介してウレタン系止水材を切羽前方地山に注入して、ウレタン系止水材の発砲硬化によって注入孔周辺の水脈を閉塞する工程。
また、トンネルの掘削の進行にしたがって、上記（１）〜（５）によって行われる工程を繰り返し行うことが好ましい。
【００１５】
以下、具体的な水抜き工の工程について、図１〜図６を参照して説明する。本実施形態の水抜き工は、トンネルの切羽前方地山１２に長尺の水抜き孔２０を削孔して、切羽前方地山１２の内部に帯水している湧水を確実かつ効率的に抜く工法である。
【００１６】
まず、図１に示すように、トンネルの掘削で形成された切羽１０において、所定の長さ（例えば１０ｍや２０ｍ）の水抜き孔２０を形成する。具体的には、水抜き孔２０は、切羽前方地山１２において、切羽１０から掘削範囲１２Ａ（掘削断面）の外側の非掘削範囲１２Ｂに向けて削孔される。ここで、掘削範囲１２Ａとは、トンネルの形成のために掘削される部分であり、非掘削範囲１２Ｂとは、掘削範囲１２Ａに隣接して掘削されない部分である。水抜き孔２０は、掘削進行方向の奥側に向かうにつれて掘削範囲１２Ａから離れるように、掘削進行方向に対して傾斜している。また、水抜き孔２０には、孔壁の保持のために有孔鋼管（図示略）を設置する。切羽前方地山１２に形成された水抜き孔２０は、当該水抜き孔２０につながる水脈からの湧水を流し出す。なお、水抜き孔２０は、図１では２つ設けているが、２つ以外の数を、図１で示す位置とは異なる位置に設けてもよい。
【００１７】
次に、図２に示すように、切羽１０において水抜き孔２０に近い位置（例えば、切羽１０の縁部近傍の水抜き孔２０に隣接する位置）を削孔して、後述する止水材６０を注入するための注入孔３０を形成する。具体的には、注入孔３０は、長尺状であり、例えば水抜き孔２０の半分程度の長さで形成される。ここで、注入孔３０が形成された後に、注入孔３０から湧水が流れ出ることと、注入孔３０が形成される前に水抜き孔２０から流れ出ていた湧水の流出量が低減することを確認する。このような状態が確認された場合、注入孔３０につながった水脈が水抜き孔２０にもつながっていることが分かる。なお、注入孔３０は、図２では１つ設けているが、２つ以上の数を、図２で示す位置とは異なる位置に設けてもよい。
【００１８】
続いて、注入孔３０に注入ボルト（請求項の「資材」に相当）４０を挿入し、注入ボルト４０を介して水脈を閉塞する止水材６０を切羽前方地山１２（具体的には、掘削範囲１２Ａ）に注入する。ここで、止水材６０は、ウレタン系の薬液であり、水と接触すると発泡体が形成され、止水効果を奏する。図４（Ａ）に示すように、注入孔３０に注入ボルト４０を挿入する前は、水脈Ｖとつながる注入孔３０から湧水Ｗが流れ出している。図４（Ａ）に示すような状態において、図４（Ｂ）に示すように、注入孔３０に注入ボルト４０を挿入する。
【００１９】
ここで、注入ボルト４０について、図３を用いて説明する。注入ボルト４０は、図３に示すように、本体部４１、本体バルブ４２、およびパッカー５０を備えている。注入ボルト４０は、高圧注入に耐えることができる。また、注入ボルト４０は、トンネル掘削時に同時に切削して撤去可能である。例えば、注入ボルト４０は、樹脂製である。本体部４１は、その内側空間を止水材６０が流通可能に、管状に形成されている。本体部４１は、その外周面にねじ山が形成されている。また、本体部４１は、ねじ山が形成されず、ねじ山が形成されている部分よりも縮径された平坦部４３が形成されている。平坦部４３には、本体部４１の内側空間と外側空間とを連通する連通孔４４が形成されている。連通孔４４は、周方向に略等配で４つ形成されている。連通孔４４には、連通孔バルブ４５が設けられている。連通孔バルブ４５は、ゴム製のリングバンドであり、各連通孔４４を閉塞するように平坦部４３に組み付けられている。連通孔バルブ４５は、後述する本体バルブ４２が開放される圧力よりも低い圧力で開放するように設けられている。
【００２０】
本体バルブ４２は、図３（Ａ）に示すように、本体部４１の先端部４１Ａに取着されている。具体的には、本体バルブ４２は、本体部４１の先端部４１Ａの内周に嵌め込まれている。本体バルブ４２は、所定の圧力で開放されるように設けられている。すなわち、本体バルブ４２は、本体部４１内に止水材６０を流通させたとき、本体部４１の内圧が所定圧力（例えば５ＭＰａ）に達すると開放される。
【００２１】
パッカー５０は、図３に示すように、本体部４１の外周面に装着される。パッカー５０は、筒状に形成され、ゴム製で弾性を有している。パッカー５０は、図３（Ｂ）に示すように、その両端近傍を樹脂製のリングバンド５１でかしめられていることにより、本体部４１に装着されている。
【００２２】
図４（Ｂ）に示すように、注入孔３０に注入ボルト４０を挿入すると、本体部４１の内側空間を流通して基端部４１Ｂから湧水Ｗが流れ出る。続いて、図４（Ｃ）に示すように、注入ボルト４０に対して、基端部４１Ｂから止水材６０を注入する。注入された止水材６０は、本体部４１の内側空間に滞留して内圧を上昇させ、連通孔バルブ４５を開放させる。連通孔バルブ４５が開放されると、パッカー５０内に止水材６０が充填される。パッカー５０は、止水材６０が充填されると膨張して、注入孔３０の内壁に押し付けられる。これにより注入ボルト４０が注入孔３０に固定される。パッカー５０は、連通孔バルブ４５が逆止弁として作用することにより、内圧が下降しても収縮することなく、膨張した状態が維持される。
【００２３】
図４（Ｃ）に示す状態において、さらに注入ボルト４０に止水材６０を注入し続け、本体部４１の内側空間の内圧を上昇させる。これにより、本体部４１の内圧が所定圧力（例えば５ＭＰａ）に達すると、本体バルブ４２が開放される。すると、図４（Ｃ）の矢印のように、本体部４１の先端部４１Ａから止水材６０が流出する。さらに止水材６０を注入ボルト４０に注入し続け、止水材６０を水脈Ｖに注入する。ここで、止水材６０の注入圧は、水脈Ｖ内の湧水の水圧に耐え得る大きさとする。止水材６０は、湧水との接触によって発砲硬化する。水脈Ｖ内で硬化した止水材６０は、図４（Ｄ）に示すように、注入孔３０の近辺にある水脈Ｖを閉塞し、図５に示すように止水領域ＡＲを形成する。なお、図５では、注入孔３０の近辺に形成される止水領域ＡＲを、簡略的に注入孔３０を囲むように示している。
【００２４】
このように、注入孔３０の近辺にある水脈Ｖを閉塞することで、切羽前方地山１２内における水脈の方向を変えることができる。具体的には、切羽前方地山１２における掘削範囲１２Ａに位置する部分の水脈Ｖを閉塞することで、非掘削範囲１２Ｂに向かう水脈に変えることができる。そして、掘削範囲１２Ａに帯水した湧水を、水抜き孔２０に導くことができる。
【００２５】
続いて、以上のように湧水が水抜きされた切羽前方地山１２の掘削を行う。ここで、切羽前方地山１２の掘削時には、同時に注入ボルト４０も切削して撤去する。そのため、掘削の都度注入ボルト４０を取り出して撤去する必要がなく、円滑にトンネルの掘削を進めることができる。そして、新たに形成された切羽１０（例えば、注入孔３０が無くなるまで掘削して形成された切羽１０）に対して、上記図１〜図５を用いて説明した工程を同様に行う。具体的には、図６（Ａ）に示すように、新たな注入孔３０を切孔し、続けて、図４（Ａ）〜（Ｄ）に示す工程を行い、図６（Ｂ）に示すように、新たな止水領域ＡＲを形成する。その後も、掘削の進行にしたがって、上記図１〜５に示す工程を繰り返し行う。
【００２６】
本実施形態の水抜き工では、トンネルの切羽前方地山１２に長尺の水抜き孔２０を設置して切羽前方地山１２に帯水した湧水を減ずる。この際、切羽前方地山１２内に止水材６０を注入して切羽前方地山１２内の水脈を閉塞するとともに、水流の方向を変えることにより、切羽前方地山１２内に帯水した湧水を水抜き孔２０に導く。よって、切羽前方地山１２内に帯水した湧水を確実かつ効率的に抜くことができる。
【００２７】
本実施形態の水抜き工によれば、湧水との接触によって発泡硬化するウレタン系の止水材６０を用いているから、水脈Ｖを確実に閉塞でき、水流の方向を変えやすい。
【００２８】
本実施形態の水抜き工によれば、トンネルの掘削時に、止水材６０を注入するための注入ボルト４０を切削して撤去することで、円滑に山岳トンネルの掘削が行える。
【００２９】
＜他の実施形態＞
尚、本発明においては、上記実施形態に限られず、目的、用途に応じて本発明の範囲内で種々変更した実施形態とすることができる。
【００３０】
上記実施形態では、止水材６０の注入工程（図４参照）において、注入ボルト４０を１つ用いる構成を示したが、切羽前方地山１２に帯水する湧水量や、水抜き孔２０の数によって適宜増減してもよい。
【００３１】
上記実施形態では、注入ボルト４０として、図３に示すように、樹脂製であって本体部４１、本体バルブ４２、およびパッカー５０を備える構成を例示した。しかしながら、注入ボルト４０は、止水材６０を注入可能であり、トンネル掘削時に同時に切削して撤去可能な構成であれば、その他の構成であってもよい。
【００３２】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施形態を参照したが、本発明をここにおける開示事項に限定することを意図するものではなく、むしろ、本発明は添付の特許請求の範囲内における、機能的に同等の構造、方法、使用の全てに及ぶものとする。
【産業上の利用可能性】
【００３３】
トンネルの水抜き工に関する技術として広く利用される。
【符号の説明】
【００３４】
１０…切羽
１２…切羽前方地山
２０…水抜き孔
３０…注入孔
４０…注入ボルト（資材）
４１…本体部
４１Ａ…先端部
４２Ａ…基端部
４３…平坦部
４４…連通孔
４５…連通孔バルブ
５０…パッカー
５１…リングバンド
６０…止水材
ＡＲ…止水領域
Ｖ…水脈
Ｗ…湧水
【図１】
2019138092.tif 000003
【図２】
2019138092.tif 000004
【図３】
2019138092.tif 000005
【図４】
2019138092.tif 000006
【図５】
2019138092.tif 000007
【図６】
2019138092.tif 000008